(57)【要約】【課題】パネル上の異物の付着に起因する誤検出の発生を防止することが可能なタッチパネルを提供する。【解決手段】タッチパネルは、発光素子と、前記発光素子に対向するように設けられた受光素子と、前記発光素子と前記受光素子の間に設けられ、遮光体が接触可能な接触板と、を備え、前記接触板は、内部を前記発光素子と前記受光素子の間の光軸が通るように、配置されている。前記接触板が前記遮光体により押下されると、押下部分で前記遮光体により光が遮光される。【選択図】図５
2015055962.tif 000002
【特許請求の範囲】
【請求項１】
発光素子と、
前記発光素子に対向するように設けられた受光素子と、
前記発光素子と前記受光素子の間に設けられ、遮光体が接触可能な接触板と、
を備え、
前記接触板は、内部を前記発光素子と前記受光素子の間の光軸が通るように、配置されている、タッチパネル。
【請求項２】
請求項１に記載のタッチパネルにおいて、
前記接触板が前記遮光体により押下されると、押下部分で前記遮光体により光が遮光される、タッチパネル。
【請求項３】
請求項２に記載のタッチパネルにおいて、
前記接触板の前記遮光体により押下された押下部分が、凹状に変形する、タッチパネル。
【請求項４】
請求項１〜３のいずれか１項に記載のタッチパネルにおいて、
前記接触板は、ガラスで構成されている、タッチパネル。
【請求項５】
請求項１〜３のいずれか１項に記載のタッチパネルにおいて、
前記接触板は、透明な弾性部材で構成されている、タッチパネル。
【請求項６】
請求項１〜５のいずれか１項に記載のタッチパネルにおいて、
前記発光素子と前記受光素子を覆うカバー部材を更に備える、タッチパネル。
【請求項７】
請求項６に記載のタッチパネルにおいて、
前記カバー部材は、中央側に開口部を有し、
前記接触板は、前記開口部に設けられている、タッチパネル。
【請求項８】
請求項７に記載のタッチパネルにおいて、
前記カバー部材は、平らに形成されており、
前記接触板の前記遮光体が接触する接触面は、前記カバー部材の上面と略同一面上に位置する、タッチパネル。
【請求項９】
情報を表示する表示画面と、
前記表示画面上に積層されたタッチパネルと、
を具備する自動取引装置であって、
前記タッチパネルは、
発光素子と、
前記発光素子に対向するように設けられた受光素子と、
前記発光素子と前記受光素子の間に設けられ、遮光体が接触可能な接触板と、
を備え、
前記接触板は、内部を前記発光素子と前記受光素子の間の光軸が通るように、配置されている、自動取引装置。
【発明の詳細な説明】
【技術分野】
【０００１】
本発明は、タッチパネル、及び自動取引装置に関する。
【背景技術】
【０００２】
近年、人による操作を検知するためのタッチパネルが、表示画面を表示する機能を兼ね備えた操作表示装置に使用されている。例えば、タッチパネルの一例としての光学式タッチパネルが、自動取引装置や、キオスク端末などの多様な機器に搭載されている。光学式タッチパネルは、発光素子と受光素子を有しており、ユーザは、指等の遮光体で、タッチパネルを操作する際に発光素子が発した光を遮光する。
【０００３】
このような光学式タッチパネルにおいては、発光素子が発した光を受光素子が受光した際の受光レベルに基づいて、遮光体の位置を検出する。下記の特許文献１に記載のタッチパネルでは、表示画面を保護する保護板上でユーザの指により光が遮光されることで、指の位置を検出する。
【先行技術文献】
【特許文献】
【０００４】
【特許文献１】特開平１１−８６６９８号公報
【発明の概要】
【発明が解決しようとする課題】
【０００５】
ところで、上記の特許文献１のタッチパネルにおいて、保護板上にゴミや埃等の異物が付着することがある。異物が保護板上に付着すると、本来遮光すべき指等の遮光体の代わりに異物によって光が遮光されるため、誤検出が発生する恐れがある。
【０００６】
そこで、本発明は、上記問題に鑑みてなされたものであり、本発明の目的とするところは、パネル上の異物の付着に起因する誤検出の発生を防止することが可能なタッチパネルを提供することにある。
【課題を解決するための手段】
【０００７】
上記課題を解決するために、本発明のある観点によれば、発光素子と、前記発光素子に対向するように設けられた受光素子と、前記発光素子と前記受光素子の間に設けられ、遮光体が接触可能な接触板と、を備え、前記接触板は、内部を前記発光素子と前記受光素子の間の光軸が通るように、配置されている、タッチパネルが提供される。
【０００８】
かかるタッチパネルにおいては、ユーザのタッチ操作が行なわれる接触板が、内部を発光素子と受光素子の間の光軸が通るように、発光素子と受光素子の間に配置されている。かかる場合には、接触板の内部を光軸が通過する構成となっているので、遮光体（ユーザの指等）が接触板を押下しないと、発光素子が発した光が遮光されない。このため、仮に接触板上に異物が付着しても、異物が光軸上に位置しないため、異物によって遮光されない。この結果、パネル上の異物の付着に起因する誤検出の発生を防止することが可能となる。
【０００９】
また、上記のタッチパネルにおいて、前記接触板が前記遮光体により押下されると、押下部分で前記遮光体により光が遮光されても良い。
【００１０】
また、上記のタッチパネルにおいて、前記接触板の前記遮光体により押下された押下部分が、凹状に変形しても良い。
【００１１】
また、上記のタッチパネルにおいて、前記接触板は、ガラスで構成されても良い。
【００１２】
また、上記のタッチパネルにおいて、前記接触板は、透明な弾性部材で構成されても良い。
【００１３】
また、上記のタッチパネルは、前記発光素子と前記受光素子を覆うカバー部材を更に備えても良い。
【００１４】
また、上記のタッチパネルにおいて、前記カバー部材は、中央側に開口部を有し、前記接触板は、前記開口部に設けられても良い。
【００１５】
また、上記のタッチパネルにおいて、前記カバー部材は、平らに形成されており、前記接触板の前記遮光体が接触する接触面は、前記カバー部材の上面と略同一面上に位置しても良い。
【００１６】
上記課題を解決するために、本発明の別の観点によれば、情報を表示する表示画面と、前記表示画面上に積層されたタッチパネルと、を具備する自動取引装置であって、前記タッチパネルは、発光素子と、前記発光素子に対向するように設けられた受光素子と、前記発光素子と前記受光素子の間に設けられ、遮光体が接触可能な接触板と、を備え、前記接触板は、内部を前記発光素子と前記受光素子の間の光軸が通るように、配置されている、自動取引装置が提供される。
【００１７】
かかる自動取引装置においては、接触板の内部を光軸が通過する構成となっているので、遮光体（ユーザの指等）が接触板を押下しないと、発光素子が発した光が遮光されない。このため、仮に接触板上に異物が付着しても、異物が光軸上に位置しないため、異物によって遮光されない。この結果、パネル上の異物の付着に起因する誤検出の発生を防止できるので、タッチパネルの誤検出に起因する自動取引装置の誤動作の発生を防止することが可能となる。
【発明の効果】
【００１８】
以上説明したように本発明によれば、パネル上の異物の付着に起因する誤検出の発生を防止することが可能となる。
【図面の簡単な説明】
【００１９】
【図１】本発明の第１の実施形態に係る自動取引装置１０の外観構成の一例を示す斜視図である。
【図２】第１の実施形態に係るタッチパネル１００の概略構成の一例を示す平面図である。
【図３】比較例に係るタッチパネル９００の構成を示す断面図である。
【図４】比較例に係る保護板９１２の上面に付着したゴミや埃による遮光を説明するための図である。
【図５】第１の実施形態に係るタッチパネル１００の構成の一例を示す断面図である。
【図６】遮光体が透明パネル１１２を押下して光を遮光する状態を説明するための図である。
【図７】受光素子１０８が受光した信号レベルを説明するためのグラフである。
【図８】第１の実施形態に係るタッチパネル１００の機能構成の一例を示すブロック図である。
【図９】第２の実施形態に係るタッチパネル１００の構成の一例を示す断面図である。
【発明を実施するための形態】
【００２０】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２１】
＜１．第１の実施形態＞
（１−１．自動取引装置の概要）
図１を参照しながら、本発明の第１の実施形態に係る自動取引装置１０の概要について説明する。図１は、第１の実施形態に係る自動取引装置１０の外観構成の一例を示す斜視図である。
【００２２】
自動取引装置１０は、金融機関の顧客による操作に基づいて金銭の取引を実行する顧客操作型端末である。この自動取引装置１０は、金融機関の営業店、コンビニエンスストア、駅構内、ホテル、病院、アミューズメントパーク、飲食店、オフィスビルディングなどの多様な施設に設置される。
【００２３】
図１に示すように、自動取引装置１０は、通帳挿入排出部２２と、カード挿入排出部２４と、硬貨入出金部２６と、紙幣入出金部２８と、顧客操作表示部３０と、を有する。
【００２４】
通帳挿入排出部２２は、顧客の通帳の挿入および排出を行う。通帳は、顧客に関する顧客情報を記録した磁気ストライプを有する。通帳挿入排出部２２に挿入された通帳の顧客情報は、装置内部のカードリーダーによって読み取られる。
【００２５】
カード挿入排出部２４は、顧客の取引カード（例えば、キャッシュカード、クレジットカード、振込カード等）の挿入および排出を行う。取引カードは、現金支払い・預け入れ等に必要な顧客情報が記録された磁気ストライプやＩＣチップを有する。カード挿入排出部２４に挿入された取引カードの顧客情報は、装置内部のカードリーダーによって読み取られる。
【００２６】
硬貨入出金部２６は、顧客が入金硬貨を投入し、又は出金硬貨を顧客が受け取る入出金口を有する。例えば、硬貨入出金部２６に投入された硬貨は、入金処理として装置内部において鑑別・計数されて硬貨収納部に収納される。
【００２７】
紙幣入出金部２８は、顧客が入金紙幣を投入し、又は出金紙幣を顧客が受け取る入出金口を有する。例えば、紙幣入出金部２８に投入された紙幣は、入金処理として装置内部において鑑別・計数されて紙幣収納部に収納される。
【００２８】
顧客操作表示部３０は、顧客による操作の誘導画面を表示する表示部および顧客操作を検出する顧客操作部としての機能を包含する。表示部としての機能は、例えば、ＣＲＴ（Ｃａｔｈｏｄｅ  Ｒａｙ  Ｔｕｂｅ）ディスプレイ装置、液晶ディスプレイ（ＬＣＤ）装置、ＯＬＥＤ（Ｏｒｇａｎｉｃ  Ｌｉｇｈｔ  Ｅｍｉｔｔｉｎｇ  Ｄｉｏｄｅ）装置により実現される。また、顧客操作部としての機能は、後述するタッチパネルにより実現される。
【００２９】
（１−２．タッチパネルの構成）
図２を参照しながら、第１の実施形態に係る顧客操作表示部３０のタッチパネル１００の詳細構成について説明する。図２は、タッチパネル１００の概略構成の一例を示す平面図である。
【００３０】
タッチパネル１００は、光学式タッチパネルであり、光線を発光および受光する素子を備える。タッチパネル１００は、顧客の指や指示棒などの遮光体による光線の遮光を検知することで、顧客の操作位置（タッチ位置）を検出する。そして、自動取引装置１０は、タッチパネル１００が検出した顧客操作に基づいて取引を行う。
【００３１】
タッチパネル１００は、図２に示すように、発光素子１０４と、受光素子１０８と、透明パネル１１２と、を有する。なお、タッチパネル１００は、顧客操作表示部３０の表示装置の表示画面１３２（図３）上に積層されている。表示画面１３２は、各種の情報を表示する。
【００３２】
発光素子１０４は、拡散性を有する光線を発光する素子である。発光素子１０４は、赤外線や紫外線などの光線を発光し得るが、以下では赤外線を発光する例を説明する。
【００３３】
受光素子１０８は、発光素子１０４が発光した赤外線を受光する素子である。受光素子１０８は、発光素子１０４に対向するように設けられている。発光素子１０４及び受光素子１０８は、透明パネル１１２を囲むように設けられている。
【００３４】
具体的には、図２に示すように、タッチパネル１００は、横方向に列状に配設された発光素子１０４−Ｘ１〜１０４Ｘ１４、および縦方向に列状に配設された発光素子１０４−Ｙ１〜１０４Ｙ１０を含む。また、タッチパネル１００は、横方向に列状に配設された受光素子１０８−Ｘ１〜１０８Ｘ１４、および縦方向に列状に配設された受光素子１０８−Ｙ１〜１０８Ｙ１０を含む。
【００３５】
発光素子１０４が発光する赤外線は拡散性を有するので、赤外線が拡散する範囲に配設された複数の受光素子１０８が受光し得る。例えば、図２に示すように、発光素子１０４−Ｙ３が発光した赤外線は、発光素子１０４−Ｙ３と相対する受光素子１０８−Ｙ３、並びに受光素子１０８−Ｙ１、１０８−Ｙ２、１０８−Ｙ４および１０８−Ｙ５が受光する。
【００３６】
透明パネル１１２は、透明な矩形状の板状部材であり、例えばガラスにより構成されている。透明パネル１１２の下には、表示装置の表示画面１３２（図３参照）が設けられている。このため、自動取引装置１０を操作するユーザは、表示画面１３２を透明パネル１１２を通して見ることができる。また、顧客は、表示画面１３２を見ながらタッチ操作をする際に、指等を透明パネル１１２に接触させる。この際、指等の遮光体が、発光素子が発した光を遮光する。なお、透明パネル１１２は、表示画面１３２を保護する保護板としての機能も有する。
【００３７】
（１−３．異物による誤検知の発生）
上述したように、タッチパネル１００は、顧客の指や指示棒などの遮光体による光線の遮光を検知することで、顧客の操作を検出する。
【００３８】
ところで、タッチパネル１００の上面に、埃やゴミなどの異物が付着する場合がある。かかる場合には、指や指示棒がタッチパネル１００上に無くても、異物が光を遮光してしまうため、誤検知が発生する恐れがある。以下では、図３に示す比較例を用いて、より具体的に説明する。
【００３９】
図３は、比較例に係るタッチパネル９００の構成を示す断面図である。図３に示すように、タッチパネル９００も、発光素子９０４と、受光素子９０８と、保護板９１２と、を有する。タッチパネル９００では、発光素子９０４と受光素子９０８の間の光軸Ｌが、保護板９１２の上方を通過する。これにより、ユーザが保護板９１２に指や指示棒等の遮光体を接触させると、遮光体によって発光素子９０４が発した光が遮光される。
【００４０】
このようなタッチパネル９００において、図４（ａ）に示すように、表示画面９３２上の保護板９１２にゴミＡ１や埃Ａ２が付着することがある。かかる場合には、図４（ｂ）に示すように、ゴミＡ１や埃Ａ２によって発光素子９０４が発した光が遮光されることになる。この結果、ユーザがタッチパネル９００で操作しなくても、ゴミＡ１や埃Ａ２等の異物によって光が遮光されてしまい、誤検知が発生することになる。図４は、比較例に係る保護板９１２の上面に付着したゴミＡ１や埃Ａ２による遮光を説明するための図である。
【００４１】
特に、比較例に係るタッチパネル９００は、発光素子９０４及び受光素子９０８を覆うカバー部材９２０を有する。このカバー部材９２０は、中央側に曲げ部９２１を有しており、曲げ部９２１の底面には、保護板９１２が取り付けられる開口が形成されている。すなわち、タッチパネル９００は、額縁のような凹形状の構造となっている。このため、保護板９１２上に付着したゴミや埃は、その後も継続して滞留してしまい、誤検知が発生しやすくなる。
【００４２】
（１−４．誤検知の発生を防止するための構成）
このような誤検知の発生を防止するために、本発明の第１の実施形態に係るタッチパネル１００においては、図５に示すような構成が採用されている。
【００４３】
図５は、第１の実施形態に係るタッチパネル１００の構成の一例を示す断面図である。図５に示すように、タッチパネル１００は、発光素子１０４と、受光素子１０８と、接触板の一例である透明パネル１１２と、基板１１６と、カバー部材１２０と、を有する。
【００４４】
第１の実施形態に係る透明パネル１１２は、発光素子１０４と受光素子１０８の間の光軸Ｌ上に位置するように、設けられている。別言すれば、透明パネル１１２は、内部を発光素子１０４と受光素子１０８の間の光軸Ｌが通るように、配置されている。このため、発光素子１０４が発した光は、遮光体により遮光されない場合には、透明パネル１１２の内部を通過して、受光素子１０８に達する。
【００４５】
透明パネル１１２は、遮光体が接触する接触面１１３を有する。例えば、ユーザは、タッチ操作を行う際に、接触面１１３を押下する。第１の実施形態に係る透明パネル１１２は、遮光体により押下されると、押下部分が凹状に変形する柔らかい素材で形成されている。例えば、透明パネル１１２は、いわゆるフレキシブルガラスで構成されている。このように透明パネル１１２が凹状に変形することで、図６に示すように光が遮光体により遮光されることになる。
【００４６】
図６は、遮光体が透明パネル１１２を押下して光を遮光する状態を説明するための図である。図６では、遮光体がユーザの指である。図６に示すように、透明パネル１１２が指により押下されており、押下部分が凹状に変形している。そして、押下された指が、発光素子１０４と受光素子１０８の間の光軸Ｌ上に位置して、発光素子１０４が発した光を遮っている。この結果、透明パネル１１２の押下部分で、遮光体により光が遮光される。なお、図６では、説明の便宜上、実際よりも透明パネル１１２を大きく凹ませた状態で示している。
【００４７】
図６では、発光素子１０４と受光素子１０８の間の光軸Ｌが、透明パネル１１２の厚み方向の中心付近を通るように示されているが、これに限定されない。例えば、光軸Ｌが透明パネル１１２の接触面１１３に近づくように、発光素子１０４及び受光素子１０８を接触面１１３側に近づけて配置させても良い。かかる場合には、遮光体の押下に伴う押下部分の凹状の変形が小さくても、遮光体による押下を検出できる。
【００４８】
このように第１の実施形態によれば、透明パネル１１２の内部を光軸Ｌが通過する構成となっているので、遮光体が透明パネル１１２を押下しないと遮光されない。このため、仮に透明パネル１１２上にゴミや埃が付着しても、ゴミや埃が光軸Ｌ上に位置しないため、ゴミや埃によって遮光されない。この結果、透明パネル１１２上のゴミや埃の付着に起因する誤検出の発生を防止できる。
【００４９】
特に、第１の実施形態の場合には、透明パネル１１２の押下部分の凹んだ箇所に遮光体に位置することで、遮光される構成となっているため、ユーザが積極的に透明パネル１１２を凹ませないと遮光されない。このため、ゴミや埃に起因する誤検出の発生を、より効果的に防止できる。
【００５０】
基板１１６は、透明パネル１１２の周囲に設けられている。基板１１６上には、図５に示すように、発光素子１０４と受光素子１０８が取り付けられている。また、基板１１６には、タッチパネル１００の動作を制御するパネル制御部が設けられている。パネル制御部は、受光素子１０８が受光した信号レベルに基づいて、遮蔽体が光を遮光したか否かを判定する。
【００５１】
図７は、受光素子１０８が受光した信号レベルを説明するためのグラフである。図７のグラフの横軸は時間であり、縦軸は受光素子１０８が検出した信号レベルである。遮光体が光を遮光しない場合には、図７（ａ）に示すように信号レベルの大きさはほぼ一定である。これに対して、図６に示すように遮光体が遮光した場合には、図７（ｂ）に示すように遮光したタイミング（タイミングｔ１）において、信号レベルが低下する。この信号レベルの低下を検出することで、遮光体が遮光した位置を検出可能である。
【００５２】
カバー部材１２０は、図５に示すように、発光素子１０４、受光素子１０８、及び基板１１６を覆う。第１の実施形態に係るカバー部材１２０は、例えば樹脂製であり、図４に示すように内側に曲げ部９２１を有するカバー部材９２０とは異なり、平らな構成となっている。
【００５３】
カバー部材１２０は、表示画面１３２に対応する中央側に、矩形状の開口が形成された開口部１２２を有する。開口部１２２の大きさは、透明パネル１１２とほぼ同じ大きさである。これにより、ユーザは、表示画面１３２を見ながら、透明パネル１１２に対してタッチ操作を行うことになる。
【００５４】
開口部１２２には、透明パネル１１２が設けられている。具体的には、透明パネル１１２は、開口部１２２の開口を埋めるように、開口部１２２に取り付けられている。この際、透明パネル１１２の内部を発光素子１０４と受光素子１０８の間の光軸Ｌが通過できるように、透明パネル１１２が表示画面１３２側に向かって突出している。
【００５５】
第１の実施形態において、図５に示すように、透明パネル１１２の遮光体が接触する接触面１１３は、カバー部材１２０の上面１２１と略同一面上に位置する。より望ましくは、接触面１１３と上面１２１が同一面となるように、透明パネル１１２が開口部１２２に取り付けられることが好適である。これにより、接触面１１３と上面１２１との間に段差が形成されないため、仮に接触面１１３にゴミや埃が付着しても除去しやすくなる。この結果、接触面１１３上にゴミや埃が滞留することを抑制できる。
【００５６】
（１−５．機能構成）
図８を参照しながら、第１の実施形態に係るタッチパネル１００の機能構成について説明する。
【００５７】
図８は、タッチパネル１００の機能構成の一例を示すブロック図である。図８に示すように、タッチパネル１００は、パネル制御部１５０を有する。パネル制御部１５０は、検知部１５２と、判定部１５４と、算出部１５６と、を含む。なお、パネル制御部１５０は、図５に示す基板１１６上に設けられている。
【００５８】
検知部１５２は、発光素子１０４が赤外線を発光した際に、当該赤外線が拡散する範囲に配設された複数の受光素子１０８の受光結果を検知する。例えば、図２に示すように、検知部１３２は、発光素子１０４−Ｙ３が発光した際には、受光素子１０８−Ｙ１〜１０８−Ｙ５が受光したか否かを検知する。そして、検知部１５２は、検知した受光結果を判定部１５４に通知する。
【００５９】
判定部１５４は、検知部１５２が検知した受光結果によって、発光素子１０４と発光素子１０４が発光した赤外線が拡散する範囲に配設された複数の受光素子１０８とを結ぶ各線上の遮光体の有無を判定する。詳しくは、判定部１５４は、当該複数の受光素子１０８のうち、受光に失敗した受光素子１０８と発光素子１０４とを結んだ線上に遮光体が存在すると判定する。一方で、判定部１５４は、受光した受光素子１０８と発光素子１０４とを結んだ線上に遮光体が存在しないと判定する。そして、判定部１５４は、発光素子１０４と発光素子１０４が発光した赤外線が拡散する範囲に配設された複数の受光素子１０８とを結ぶ各線上の遮光体の有無を示す判定結果を、算出部１５６に通知する。
【００６０】
算出部１５６は、判定部１５４による判定結果によって、遮光体が存在する範囲を算出する。そして、算出部１５６は、算出した遮光体の存在範囲を、パネル制御部１５０に通知し、パネル制御部１５０は、通知された遮光体の存在範囲を、顧客による操作として自動取引装置１０の取引制御部へ通知する。
【００６１】
（１−６．第１の実施形態の有効性）
上述した第１の実施形態に係る自動取引装置１０のタッチパネル１００によれば、ユーザのタッチ操作が行なわれる透明パネル１１２が、図５に示すように内部を発光素子１０４と受光素子１０８の間の光軸Ｌが通るように、発光素子１０４と受光素子１０８の間に配置されている。
【００６２】
かかる場合には、透明パネル１１２の内部を光軸Ｌが通過する構成となっているので、遮光体（ユーザの指等）が透明パネル１１２を押下しないと遮光されない。このため、仮に透明パネル１１２上にゴミや埃等の異物が付着しても、異物が光軸Ｌ上に位置しないため、異物によって遮光されない。この結果、透明パネル１１２上の異物の付着に起因する誤検出の発生を防止できる。また、タッチパネル１００における誤検出の発生を防止できるので、かかる誤検出に基づく自動取引装置１０の誤動作の発生を防止することが可能となる。
【００６３】
さらに、第１の実施形態においては、透明パネル１１２の接触面１１３と、カバー部材１２０の上面１２１が略同一面上に位置する。これにより、接触面１１３と上面１２１との間に段差が形成されないため、仮に接触面１１３にゴミや埃等の異物が付着しても除去しやすくなる。この結果、透明パネル１１２上に異物が滞留することを抑制できる。
【００６４】
＜２．第２の実施形態＞
図９を参照しながら、第２の実施形態に係るタッチパネル１００の構成の一例について説明する。
【００６５】
図９は、第２の実施形態に係るタッチパネル１００の構成の一例を示す断面図である。図９に示すように、第２の実施形態に係るタッチパネル１００も、発光素子１０４と、受光素子１０８と、透明パネル２１２と、を有する。そして、第２の実施形態においても、透明パネル２１２が、発光素子１０４と受光素子１０８の間の光軸Ｌが内部を通過するように設けられている。
【００６６】
一方で、第１の実施形態では、透明パネル２１２がガラスで構成されていることとしたが、第２の実施形態では、透明パネル２１２が透明な弾性部材で構成されている。例えば、透明パネル２１２は、優れた衝撃吸収性や強度を有する樹脂材料で成形されている。なお、透明パネル２１２以外の他の構成は、第１の実施形態と同様であるので、詳細な説明は省略する。
【００６７】
透明パネル２１２に対してユーザが指等で押下すると、透明パネル２１２も押下部分が凹んだ状態となる。そして、凹んだ箇所に指等が位置することで、発光素子１０４が発した光が遮光される。これにより、第２の実施形態でも、透明パネル２１２上に付着したゴミや埃等の異物による誤検出の発生を防止できる。
【００６８】
上述したように透明パネル１１２が弾性部材で構成されていることで、透明パネル１１２に強い衝撃が作用しても、透明パネル１１２の傷や割れの発生を抑制できる。特に、ユーザが透明パネル１１２を積極的に押下して変形させる場合には、透明パネル１１２に過大な力が作用しやすくなるが、透明パネル１１２を弾性部材で構成することで、透明パネル１１２が力を吸収しやすくなる。
【００６９】
なお、上記では、タッチパネル１００が自動取引装置１０の顧客操作表示部３０に搭載されている例を説明したが、これに限定されない。例えば、タッチパネル１００は、鉄道や飛行機の乗車券の発券機や、コンビニエンスストアのチケット端末等に搭載されても良い。
【００７０】
また、上記では、タッチパネル１００がいわゆる赤外線走査方式（赤外線遮断検出方式とも呼ばれる）であることとしたが、これに限定されない。例えば、タッチパネル１００として、いわゆる再帰反射方式が用いられても良い。かかる再帰反射方式では、発光素子と受光素子が一体となったセンシングユニットと、再帰反射テープとが用いられる。
【００７１】
また、上記では、透明パネル１１２が、いわゆるフレキシブルガラスや、透明な弾性部材で構成されていることとしたが、これに限定されない。例えば、透明パネル１１２は、内部を光軸が通過するような部材であれば、他の素材により構成されても良い。
【００７２】
また、上記では、透明パネル１１２が平面に構成されているが、これに限定されない。例えば、透明パネル１１２が曲面に構成されても良い。かかる場合には、表示画面が透明パネル１１２によって歪まないような仕組みを設けると良い。
【００７３】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００７４】
１０      自動取引装置
３０      顧客操作表示部
１００    タッチパネル
１０４    発光素子
１０８    受光素子
１１２    透明パネル
１１３    接触面
１２０    カバー部材
１２１    上面
１２２    開口部
１３２    表示画面
２１２    透明パネル
Ｌ        光軸
【図１】
2015055962.tif 000003
【図２】
2015055962.tif 000004
【図３】
2015055962.tif 000005
【図４】
2015055962.tif 000006
【図５】
2015055962.tif 000007
【図６】
2015055962.tif 000008
【図７】
2015055962.tif 000009
【図８】
2015055962.tif 000010
【図９】
2015055962.tif 000011